(57)【要約】【課題】コップ状容器をプラスチック製に変わるものとして、製作上、或いは価格的に課題を多くもっている。自然に優しい木材を使用した有効なコップ型木製薄板容器を提供する。【解決手段】０．１〜０．４ｍｍ厚さの木材スライス単薄板の柾目部を木目方向に対して１０〜３０°の角度で、円形、又は角形の底板を付けたコップ形型枠に１〜４回斜巻して、上部の管径７０〜１００ｍｍの木製逆円錐台形、又は逆角錐台形の容器になっているコップ形木製薄板容器である。【選択図】図１
2020011041.tif 000002
【特許請求の範囲】
【請求項１】
０．１〜０．５ｍｍ厚さの木材スライス単薄板の柾目部を木目方向に対して１０〜３０°の角度で、円形、又は角形の底板を付けたコップ形型枠に１〜４回斜巻して、上部の管径７０〜１００ｍｍの木製逆円錐台形、又は逆角錐台形の容器になっていることを特徴とするコップ形木製薄板容器。
【請求項２】
木材スライス単薄板は、柾目部分で木質の特性を持つ木製平板において、比重０．４以上である木材における木目幅０．５〜３０ｍｍの範囲にある木目模様を持ち、前記単薄板の面の粗さ±０．１ｍｍ以内になっている平滑平板で鮮明な杢目を呈する松材、モミ材、ヒノキ材、スギ材で、前記材の厚さ０．１〜０．５ｍｍに調整された薄平板であり、前記薄板平板の端部に接着剤を塗布して、コップ形型枠に底板を敷いて木目方向１０〜３０°角度の方向に、前記容器の形状と同型の型枠に沿って１〜４回に回巻して得られた木製逆円錐台形形状、又は逆角錐台形形状になっている２００〜８００ｍｌ容積の容器にして，前記容器の表面を塗膜の被覆処理していることを特徴とする請求項１に記載のコップ形木製薄板容器。
【請求項３】
前記容器の上部開口部において７０〜１００ｍｍ直径、又は長さを持つ木製逆円錐台形形状、又は逆角錐台形形状は、幅８０〜１２０ｍｍ、長さ２５０〜４００ｍｍの単薄平板を木目傾斜方向で回巻し、前記単平板の端部である接合面に食品安全性の多糖質系、又はウレタン系接着剤を使用した前記平板片面の接合面の端に塗布して、円形状、又は角形状の底板と容器と同型の型枠に捲着した円錐台形状体、又は逆角錐台形状体を得て、前記円錐台形状体、又は逆角錐台形状体の周囲を加熱処理した薄板捲着した逆円錐台形体、又は逆角錐台形形状体から前記型枠を引き抜き、薄板の木製逆円錐台形状容器、又は逆角錐台形状容器にしていることを特徴とする請求項１、又は請求項２に記載のコップ形木製薄板容器。
【請求項４】
前記コップ形木製薄板容器の内表面、及び外表面を被膜する有機質、又は無機質の膜材物質は、漆塗料、ウレタン塗料、シリコンナノシリカーシリケート塗料で選ばれたものであり、漆塗料は、ウルシ科のウルシノキやブラックツリーから採取した樹液を加工した、ウルシオールを主成分とする天然樹脂の塗料であり、ウレタン塗料は、主剤として複数の水酸基を持つポリオール成分と硬化剤としてのポリイソシアネートを組み合わせた塗料であり、シリコン塗料は、ナノシリカとケイ素を核としたシロキサン結合を持つ無機化合物とビヒクルとの塗料であり、前記木製容器の内外表面に木目が浮き出ているような厚さ５〜５０ミクロンの塗布膜になっていることを特徴とする請求項２に記載のコップ形木製薄板容器。
【請求項５】
前記型枠は、木製、又は樹脂製であって、コップ形木製薄板容器の内面と同様なコップ形の逆円錐台形、又は逆角錐台形の形状であって、単薄平板を木目傾斜方向で回巻したコップ状容器を型枠から安易に抜き出すことができるように表面を平滑にして、コップ形型枠に置く底板は、厚さ５〜１２ｍｍで、容器の上部開口部の径、又は長さよりも寸法で７〜２５ｍｍ小さくした木製板であることを特徴とする請求項１〜請求項３のいずれかに記載のコップ形木製薄板容器。
【請求項６】
薄平板を回巻して、逆円錐台形形状、又は逆角錐台形形状になった状態で、外表面での一重目薄平板と二重目薄平板とで容器の上部の方向において木目傾斜の勾配角度が高くなっており、外表面の木目模様で１０°から６０°へと高い角度を呈した特有杢目模様を呈した状態にして、薄平板の継ぎ目は、容器の外表面に斜めに接着されて、薄平板の切り目では二〜三重目との境界の接着面を持っていることを特徴とする請求項１〜請求項３のいずれか、及び請求項５に記載のコップ形木製薄板容器。
【請求項７】
薄平板を回巻して、逆円錐台形形状、又は逆角錐台形形状になった状態の木製薄板容器において、前記コップ形の木製薄板容器の上部、中間部、下部の二〜三箇所に１０〜２０ｍｍ幅の曲線帯状薄平板を１周巻いて、前記帯状薄平板を巻いた面の全体に木材スライス単薄板の柾目部を木目方向に対して１０〜３０°の角度で１〜２回斜巻して、コップ容器上部の側部縁の厚さを０．８〜２ｍｍにして、側部内部で部分的に中空状態を設けている木製逆円錐台形、又は逆角錐台形の容器になっていることを特徴とする請求項１〜請求項６のいずれかに記載のコップ形木製薄板容器。
【発明の詳細な説明】
【技術分野】
【０００１】この発明は、スライス単薄板を杢目の特徴のある木目方向に対して特定角度で巻いたコップ型木製薄板容器に関するものである。
【背景技術】
【０００２】一般にコップはガラス製であるが、最近は使い捨てとして、紙コップが普及しているが、しかし趣が劣り、静寂な雰囲気の中で落ち着いた状態で飲料をしんみりと飲食する場合には適していない。ガラス製、金属製、樹脂製、紙製、陶器製のコップは種々の面で普及されているが、しかし趣を持って使い捨ても可能な自然界に還元できる材料を望んでいる。その中で樹木の特性を持った、木製のコップは希少であり、木質の温もり、香りをもつコップ容器について期待されているが、普及に至っていない。【０００３】木材の柔らかくても美しい木目の木や特有な香りを放ち、安価な木も使用でき、洗いやすく、殺菌作用を持っている木材での飲料用コップは少ない。しかし木の外壁とガラスの内壁とで構成した、保温や保冷を目的とする飲用コップとして、外壁は上端部または上端部付近までを単に木製にして、木製外壁とガラス製内壁を製造する過程で、木製外壁の内側にガラス製内壁を入れたとき、唇が木製外壁と接しないように、ガラス製内壁が木製外壁の上端部より上方で、木製外壁の内側にガラス製内壁を入れて、木製外壁の上端部または上端部付近でガラス製内壁とシーリングした容器が提案されている（特許文献１参照）。【０００４】また保温や保冷を目的とする飲用コップは、ガラス製、金属製、樹脂製、紙製、陶器製で多くみられるが、木製のみ、あるいは木材を部分に使用した飲用コップは市場に見られない。またガラス製や金属製のコップにおいては冷たいもので、外面に結露が着く場合があり、樹脂製、紙製では、高級感をもたらさない。樹脂製の外壁と、金属製の内壁という異なる素材で構成する二重壁を有した飲用コップが存在し、木製の外壁とガラス製の内壁という異なる素材で二重壁を構成する飲用コップは提案されている（特許文献２参照）。【０００５】木なる素材で構成する飲用コップの場合は、異なる素材の継ぎ目に、液体の侵入や空気の出入りが起きないようにするために、ガラスや金属などの同一素材と異なり、溶かして溶着することができない。そのため異なる素材の継ぎ目には、ガスケットやパッキンや接着剤などの木やガラスとは異なる素材のシール材を用いてシーリングをする必要がある。または木の外壁とガラスの内壁のそれぞれにネジ溝を加工し、締め付けることにより、異種素材同士を密着させることでシーリングを行い、保温や保冷の目的を達成することもできる。しかし普及には至っていないのが現状である。【０００６】一方使え捨て容器において、珈琲などに砂糖を加えて混ぜ合わせる際に使用する、使い捨てスプーン付コップを提案されているが。コップ本体に取手部分を設け、該取手部分の中央に、切り離して使用できるラミネート加工されたスプーンを設け、使用後、コップ本体とスプーンとを分別せず処分できる使い捨てスプーン付コップが必要である。また、スプーンの柄の部分にはフックを設けてあるので、コップの淵にかけておけることもできる紙、木材製品が提案されている（特許文献４参照）【０００７】なお、紙のコーヒーカップにプラスチック製のカバーとして外側に覆って使うような、やけどを防止する目的で、別体のコップとそのカバーが入れ子状のセットになって、容易に脱着可能な飲用コップの種類は、コップとカバーの継ぎ目にシール材を用いるなどしてシーリングをしておらず、空気の出入りが大きいために保温や保冷の効果が大きく下ったり、継ぎ目から液体の侵入が起きて汚れるが容易に洗えるなど、目的が異なる。紙コップ向け以外では、別体のコップとそのカバーが入れ子状のセットになっているやけどを防止する目的の飲用コップは普及しておらず、保温や保冷を目的とする飲用コップとはユーザーや市場規模が大きく異なっている。【０００８】蓋付き円筒状容器について、薄板で加工が簡単であるとともに、外周面に天然素材の立体的な木目デザイン変化を醸しだすことができる容器において、有底円筒状の主筒と、その主筒の開口を開閉する蓋筒とより構成するもので、主筒及び蓋筒は、木製の薄板を軸線に対して薄板を傾斜するように巻回して構成して、薄板の端縁により、主筒及び蓋筒の外周面に段差状の装飾部を形成する。この装飾部では、軸線に対して木目の傾斜する方向へ延びるように形成する薄板による蓋付き円筒容器が提案されている（特許文献５参照）。【０００９】一般コップとしては、ガラス、金属が主体であり、一般に冷たい飲料水を飲むために使用される。しかし木製のコップについては、木屑を圧縮加工したり、また掘り込んでコップ状容器にしている。しかし木の柔らかさと、香りを持ち、斜傾的木目を呈している木材のみで製作された飲料用の自然観のある薄板を巻いて製作された木製コップは今までには存在していない。また薄板で容器を製作されているが、コップ状ではなく、円形の筒状であり、蓋付きによって強度を保持して、水を使用すると変形して強度的に弱くなってします。
【先行技術文献】
【特許文献】
【００１０】
【特許文献１】特開２０１６−１２３７９８号公報
【特許文献２】登録実用新案第３００００２１号公報
【特許文献３】登録実用新案第３１８８３１６号公報
【特許文献４】特開２００８−２９０７７４号公報
【特許文献５】特開２０１０−５９６２号公報
【発明の概要】
【発明が解決しようとする課題】
【００１１】本飲料用コップ物品は、ガラス製や金属製、樹脂製、陶器製で広く普及している保温や保冷を目的とする飲用コップに関するものが一般てきである。しかし素材を異なって趣を持たせて、環境的に問題が少ない、木材を外壁、内壁とした木材の特性を持つ飲用コップに関するものが期待されている。木製の容器では、漆塗りやウレタン塗装等を施した木製のお椀は、使用するうちに木材の表面に塗装された漆や塗料が削れて寿命が短くなるので、ガラス製や金属製や陶器製などの塗装が無い素材のものとは異なり、強くこすったり、強い洗剤で洗うことが推奨されない。特に木の塗装の中では、蜜蝋や柿渋などの高級な塗装や、さらにはヒノキ風呂のような無塗装の木を使ったものも洗浄に弱いと課題もある。【００１２】現在使用されているコップはすべてガラス製、プラスチック製である。このプラスチック製食器は他の生物に悪影響を与えて、環境の面から使用禁止になる方向である。今までは、プラスチック製で、種々の形状を安価に製造できることから、他の材料から全く検討はされていなかった。とくに欧州などではプラスチック製コップなどの食器容器は禁止になり、使用が難しくなっている。自然に優しい木材、紙製品が期待するが、製作上、或いは価格的に課題を多くもっている。自然に優しい木材を使用した有効なコップを木製の特性を持たせた飲用製品に製作することを目的にしている。【００１３】木材の種類、色彩、香りによる、木目の美しさや、癒やしなど感覚的理由で、身の回りの調度品や内装パネルなどに使用されて行く傾向にある中で、食器類を木製にすることも求められている。木製に対してはガラス製や陶器製や金属製などに対して耐久性、衛生的で広く普及することには至っていなし。使い捨て、或いは木材のオンリーワンの特性を活用すること、内容物の殺菌、保温、保冷をすることを目的とする飲用コップとしてまだ商品として製造上、価格上でも上市されていない。しかし技術的には可能であるが、木をくり抜く製造コストがかかったり、大量生産が困難であるなど課題が多い。【００１４】  スギやヒノキなど木目の美しさを求めて高級なお椀などを作ることが多いが、それらと同じように木目の美しさを求めて、柔らかい種類の木を使った外壁が木製、内壁で構成し、コップの上端部または上端部付近でシーリングした二重壁を有する飲用コップを作っても、美観を損ねたり、寿命が短くなるという欠点がある。さらに柔らかい、木目の美しい、経済的に安価に普及できる木材の薄板を使用して、木材の容器の特性を呈しながら、使い捨てを主体とする木製飲用コップ容器を提供することを課題とする。
【課題を解決するための手段】
【００１５】０．１〜０．５ｍｍ厚さの木材スライス単薄板の柾目部を木目方向に対して１０〜３０°の角度で、円形、又は角形の底板を付けたコップ形型枠に１〜４回斜巻して、上部の管径７０〜１００ｍｍの木製逆円錐台形、又は逆角錐台形の容器になっているコップ形木製薄板容器である。【００１６】木材スライス単薄板は、柾目部分で木質の特性を持つ木製平板において、比重０．４以上である木材における木目幅０．５〜３０ｍｍの範囲にある木目模様を持ち、前記単薄板の面の粗さ±０．１ｍｍ以内になっている平滑平板で鮮明な杢目を呈する松材、モミ材、ヒノキ材、スギ材で、前記材の厚さ０．１〜０．５ｍｍに調整された薄平板であり、前記薄板平板の端部に接着剤を塗布して、コップ形型枠に底板を敷いて木目方向１０〜３０°角度の方向に、前記容器の形状と同型の型枠に沿って１〜４回に回巻して得られた木製逆円錐台形形状、又は逆角錐台形形状になっている２００〜８００ｍｌ容積の容器にして，前記容器の表面を塗膜の被覆処理している。【００１７】前記容器の上部開口部において７０〜１００ｍｍ直径、又は長さを持つ木製逆円錐台形形状、又は逆角錐台形形状は、幅８０〜１２０ｍｍ、長さ２５０〜４００ｍｍの単薄平板を木目傾斜方向で回巻し、前記単平板の端部である接合面に食品安全性の多糖質系、又はウレタン系エマルジョンの接着剤を使用した前記平板片面の接合面の端に塗布して、円形状、又は角形状の底板と容器と同型の型枠に捲着した円錐台形状体、又は逆角錐台形状体を得て、前記円錐台形状体、又は逆角錐台形状体の周囲を加熱処理した薄板捲着した逆円錐台形体、又は逆角錐台形形状体から前記型枠を引き抜き、薄板の木製逆円錐台形状容器、又は逆角錐台形状容器にして、ヤニ、臭い抜きのために前記容器に水蒸気処理を行っている。【００１８】前記コップ形木製薄板容器の内表面、及び外表面を被膜する有機質、又は無機質の膜材物質は、漆塗料、ウレタン塗料、シリコンナノシリカーシリケート塗料で選ばれたものであり、漆塗料は、ウルシ科のウルシノキやブラックツリーから採取した樹液を加工した、ウルシオールを主成分とする天然樹脂の塗料であり、ウレタン塗料は、主剤として複数の水酸基を持つポリオール成分と硬化剤としてのポリイソシアネートを組み合わせた塗料であり、シリコン塗料は、ナノシリカとケイ素を核としたシロキサン結合を持つ無機化合物とビヒクルとの塗料であり、前記木製容器の内外表面に木目が浮き出ているような厚さ５〜５０ミクロンの塗布膜になっている。【００１９】前記型枠は、木製、又は樹脂製であって、コップ形木製薄板容器の内面と同様なコップ形の逆円錐台形、又は逆角錐台形の形状であって、単薄平板を木目傾斜方向で回巻したコップ状容器を型枠から安易に抜き出すことができるように表面を平滑にして、コップ形型枠に置く底板は、厚さ５〜１２ｍｍで、容器の上部開口部の径、又は長さよりも寸法で７〜２５ｍｍ小さくした木製板である。【００２０】薄平板を回巻して、逆円錐台形形状、又は逆角錐台形形状になった状態で、外表面での一重目薄平板と二重目薄平板とで容器の上部の方向において木目傾斜の勾配角度が高くなっており、外表面の木目模様で１０°から６０°へと高い角度を呈��た特有杢目模様を呈した状態にして、薄平板の継ぎ目は、容器の外表面に斜めに接着されて、薄平板の切り目では二〜三重目との境界の接着面を持っている。【００２１】薄平板を回巻して、逆円錐台形形状、又は逆角錐台形形状になった状態の木製薄板容器において、前記コップ形の木製薄板容器の上部、中間部、下部の二〜三箇所に１０〜２０ｍｍ幅の曲線帯状薄平板を１周巻いて、前記帯状薄平板を巻いた面の全体に木材スライス単薄板の柾目部を木目方向に対して１０〜３０°の角度で１〜２回斜巻して、コップ容器上部の側部縁の厚さを０．８〜２ｍｍにして、側部内部で部分的に中空状態を設けている木製逆円錐台形、又は逆角錐台形の容器になっている。
【発明の効果】
【００２２】木材の特性を活かして、使い捨て、或いは木材の木目模様でオンリーワンの特性を活用すること、内容物の殺菌、保温、保冷を効果的にできるコップ型木製薄板容器になって、コップの内表面である木製飲用コップでありながら、人の唇が当たる部分は、木材による凹凸感や木感などによる表面にでき、唇に当てた感触も良くなり、木質の特性の殺菌性において衛生的になる。外表面傾斜の杢目と継ぎ目でのデザインを高めて、美観を損ねることがなく、従来の製品と特異性をもっている。【００２３】容器の外表面は、木の温もりと柔らかい種類の木を使えるので、使用できる木の特性である傾斜の木目の美しい木の種類が増えたり、経済的に安価な木を使うことができる。無塗装の木を内表面に使用でき、コップの外表面での杢目での種々の特徴あるデザインの種類を大幅に増やすことができる。
ウイスキーなどの洋酒、ビールなどを飲む場合、口に当てた時の感触が、お椀や日本酒で使う枡のような連想を抱く木製で、ガラス製でなくアルコール類の飲料で違和感を感じない。また、同時にウイスキーの樽を連想させる美しい木の外観も楽しむことができる。保温や保冷の効果の減少は、実用上大きな違いを生じにくい。
【図面の簡単な説明】
【００２４】
【図１】コップ形木製逆円錐台形薄板容器の斜視図。Ａ：完全巻き型  Ｂ：斜め切り取り型  Ｃ：垂直切り取り型
【図２】コップ形木製逆円錐台形薄板容器の製作における製作工程に関する図  Ａ：型枠に巻く前  Ｂ：巻く状態  Ｃ：捲着型枠体
【図３】コップ形木製逆円錐台形薄板容器の製作における薄板巻き状態の拡大図。Ａ：型枠体  Ｂ：底板
【図４】コップ形木製逆角錐台形薄板容器の斜視図。Ａ：四角錐台形薄板容器  Ｂ：六角錐台形薄板容器
【図５】コップ形木製薄板容器の側面部に中空部を設けた容器を示した斜視図  Ａ：帯状薄平板を巻いた状態  Ｂ：帯状薄平板を巻いた後に薄平板を巻いた状態  Ｃ：中空の存在を示す断面の状態  Ｄ：中空あり製品
【図６】コップ形木製薄板容器に塗装状態を示した断面図  Ａ：詳細断面  Ｂ：全体図
【図７】コップ形木製薄板容器の漆塗装の側面部の顕微鏡写真図  Ａ：１００倍写真  Ｂ：４００倍写真
【図８】コップ形木製薄板容器のウレタン塗装の側面部の顕微鏡写真図  ４００倍写真
【図９】コップ形木製薄板容器の使用状態図
【発明を実施するための形態】
【００２５】以下に、この発明の一実施形態を、図面に基づいて説明する。
プラスチック製製品に代わるものとして、自然に優しい木材の材料を目指して、製作上、或いは価格的に検討を加えて、自然に優しい木材を使用した有効なコップ型木製薄板容器を製作する方法について示す。
【実施例１】
【００２６】図１Ａに示すように、０．４ｍｍ厚さの木材スライス単薄板を木目方向に対して１５°の角度でコップ形型枠に２回斜巻して、上部の管径８０ｍｍの木製逆円錐台形の容器になっているコップ型木製薄板容器を製作した。
木材スライス単薄板は、木質の特性を持つ木製平板において、比重０．４４である杉木材における木目幅１〜３０ｍｍの範囲にある柾目部分の木目模様を持ち、前記単薄板の面粗さは±０．１ｍｍ以内の平滑平板の鮮明な木目を呈するモミ材で、図２に示すように前記材の厚さ０．４ｍｍに調整された平滑的薄平板を、木目方向１０°角度で、前記平板の端部に接着剤を塗布して、１０ｍｍの底板を敷いて前記容器の形状と同型の型枠に沿って２回に巻いて得られた木製逆円錐台形形状の約３６０ｍｌの容器であった。【００２７】図２のＡ，Ｂ，Ｃの順に前記容器の上部開口部の管径８０ｍｍの木製の木製逆円錐台形形状は、幅１００ｍｍ、長さ３５０ｍｍの単平板を木目傾斜方向で巻く、前記単平板の端部である接合面に食品安全性の多糖質系の接着剤を使用した前記平板片面の接合面の端に塗布して、円盤状底板と容器と同型の型枠に捲着した円錐台形状体を得て、前記円錐台形状体の周囲を加熱処理した薄板捲着した逆円錐台形体から前記型枠を引き抜き、薄板の木製逆円錐台形形状容器にして、図７に示すように乾燥後に外部表面に漆塗料で３０μｍの厚さの被覆処理を施した。【００２８】前記型枠は、木製であって、コップ型木製薄板容器の内面と同様なコップ形の逆円錐台形の形状であって、単薄平板を木目傾斜方向で回巻したコップ状容器を型枠から安易に抜き出すことができるように表面をペーパー研磨して平滑にして、図３に示すように型枠の下部に置く底板は、厚さ１０ｍｍで、容器の上部開口部の径、又は長さよりも寸法で１５ｍｍ小さくした木製板にした。【００２９】図１Ａのように薄平板を回巻して、逆円錐台形形状になった状態で、外表面での一重目薄平板と二重目薄平板とで容器の上部の方向において木目傾斜の勾配角度が高くなっており、外表面の木目模様で１０°から６０°へと高い角度を呈した特有杢目模様を呈した状態にして、薄平板の継ぎ目は、容器の外表面に斜めに接着されて、薄平板の切り目では二重目との境界の接着面が斜め方向にした。
これによって、木目が鮮明で木材で製作されたコップ型木製円錐台形薄板容器になって、図５のようにビールを注入して飲食した場合には、木のかおりをもたらして今までにない感触を味わった。
このコップの表面を塗料で処理したコップの重量は２８．６５５ｇであったが、水を２５０ｇ注いで、一時間放置後、コップから水を排出して、重量を測定したところ、約２．５％程度しか重量の増加はなかった。ほとんど吸水性はなかった。
コップの食品安全性試験を行ったところ、ヒ素、Ｐｂ、フェノール類、ホルムアルデヒドの化合物などのは存在しなく、食品の安全性には問題なかった。
【実施例２】
【００３０】実施例１と同様に、図１Ｃに示すように、０．２ｍｍ厚さの木材スライス単薄板を木目方向に対して１０°の角度でコップ形型枠に１〜２回斜巻して、＋上部の管径７０ｍｍの木製逆円錐台形の容器になっているコップ型木製薄板容器を製作した。
木材スライス単薄板は、木質の特性を持つ木製平板において、比重０．４１であるヒノキ木材における木目幅１〜３０ｍｍの範囲にある柾目部分の木目模様を持ち、前記単薄板の面粗さは±０．１ｍｍ以内の平滑平板の鮮明な木目を呈するヒノキ材で、前記材の厚さ０．２ｍｍに調整された平滑的薄平板を、木目方向１０°角度で、前記平板の端部に接着剤を塗布して、底板を敷いて前記容器の形状と同型の型枠に沿って１〜２回に巻いて得られた木製逆円錐台形形状の約３６０ｍｌの容器であった。【００３１】前記容器の上部開口部の管径７０ｍｍの木製の木製逆円錐台形形状は、幅８００ｍｍ、長さ３００ｍｍの単平板を木目傾斜方向で巻く、前記単平板の端部である接合面に食品安全性の多糖質系の接着剤を使用した前記平板片面の接合面の端に塗布して、円盤状底板と容器と同型の型枠に捲着した円錐台形状体を得て、前記円錐台形状体の周囲を加熱処理した薄板捲着した逆円錐台形体から前記型枠を引き抜き、薄板の木製逆円錐台形形状容器にして、ヤニ、臭い抜きのために前記容器に１００℃、３０分間水蒸気処理を行って、乾燥後に外部表面にウレタン系エマルジョンで被覆処理を施した。【００３２】前記型枠は、木製であって、コップ型木製薄板容器の内面と同様なコップ形の逆円錐台形の形状であって、単薄平板を木目傾斜方向で回巻したコップ状容器を型枠から安易に抜き出すことができるように表面をペーパー研磨して平滑にして、型枠の下部に置く底板は、直径５５ｍｍの厚さ４ｍｍで、容器の上部開口部の径、又は長さよりも寸法で７ｍｍ小さくした木製板にした。【００３３】薄平板を回巻して、逆円錐台形形状になった状態で、外表面での一重目薄平板と二重目薄平板とで容器の上部の方向において木目傾斜の勾配角度が高くなっており、外表面の木目模様で１０°から６０°へと高い角度を呈した特有杢目模様を呈した状態にして、薄平板の継ぎ目は、容器の外表面に斜めに接着されて、薄平板の切り目では一重目と二重目との境界の接着面が斜め方向にした。
これによって、木目が鮮明で木材で製作されたコップ型木製円錐台形薄板容器になって、オレンジジュースを注入して飲食した場合には、木のかおりをもたらして今までにない感触を味わった。
【実施例３】
【００３４】図４Ａに示すように、０．３ｍｍ厚さの木材スライス単薄板を木目方向に対して２０°の角度でコップ形型枠に２回斜巻して、上部の幅６０ｍｍの逆四角錐台形の容器になっているコップ型木製薄板容器であった。【００３５】木材スライス単薄板は、木質の特性を持つ木製平板において、比重０．４３である木材における木目幅５〜３０ｍｍの範囲にある木目模様を持ち、前記単薄平板の面の粗さは±０．１ｍｍ以内の平滑平板の鮮明な木目を呈するに針葉樹林である松材で、前記材の厚さ０．１ｍｍに調整された平滑的薄平板を、木目方向２０°角度で、前記平板の端部に接着剤を塗布して、底板を敷いて前記容器の形状と同型の型枠に沿って２回に巻いて得られた木製逆円錐台形形状、又は逆四角錐台形形状の４００ｍｌの容器になって，外部表面に被覆処理を施した。【００３６】前記コップ形木製薄板容器の内表面、及び外表面を被膜する有機質の膜材物質は、ウレタン塗料で選ばれたものであり、ウレタン塗料は、主剤として複数の水酸基を持つポリオール成分と硬化剤としてのポリイソシアネートを組み合わせた塗料であり、前記木製容器の内外表面に木目が浮き出ているようにして、厚さは約１０ミクロンの塗布膜になった。【００３７】前記容器の上部幅６０ｍｍの木製の木製逆四角錐台形形状は、幅８０ｍｍ、長さ３００ｍｍの単平板を木目傾斜方向で巻く、前記単平板の端部である接合面に食品安全性のウレタン系接着剤を使用した前記平板片面の接合面の端に塗布して、四角錐状の底板と容器と同型の型枠に捲着した逆四角錐台形形状を得て、前記逆四角錐台形形状体の周囲を加熱処理した薄板捲着した逆四角錐台形形状から前記型枠を引き抜き、前記容器にウレタン系塗料の処理を行った。【００３８】前記型枠は、木製であって、コップ型木製薄板容器の内面と同様なコップ形の逆四角錐台形の形状であって、単薄平板を木目傾斜方向で回巻したコップ状容器を型枠から安易に抜き出すことができるように表面をペーパー研磨して平滑にして、型枠の下部に置く底板は、幅４５ｍｍ角の厚さ１０ｍｍで、容器の上部開口部の長さよりも寸法で１５ｍｍ小さくした木製板にした。【００３９】薄平板を回巻して、逆四角錐台形形状になった状態で、外表面での二重目薄平板とで容器の上部の方向において木目傾斜の勾配角度が高くなっており、外表面の木目模様で１０°から６０°へと高い角度を呈した特有杢目模様を呈した状態にして、薄平板の継ぎ目は、容器の外表面に斜めに接着されて、薄平板の切り目では二重目との境界の接着面が斜め方向にした。
これによって、木目が鮮明で木材で製作された漆塗料処理したコップ型木製四角錐台形薄板容器になって、焼酎の水割りを注入して飲食した。
このコップの表面を塗料で処理したコップの重量は  ３０．０９ｇであったが、水を１００ｇ注いで、一時間放置後、コップから水を排出して、重量を測定したところ約５％程度しか重量の増加はなかった。
実施例１と同様にコップの食品安全性試験を行ったところ、安全性には問題なかいことが判明した。
【実施例４】
【００４０】実施例１と同様に図１Ｂに示すように、０．４ｍ厚さの木材スライス単薄板を木目方向に対して１０°の角度でコップ形型枠に２回斜巻して、上部の管径１００ｍｍの木製逆円錐台形の容器になっているコップ型木製薄板容器を製作した。木材スライス単薄板は、木質の特性を持つ木製平板において、比重０．４４であるモミ木材における木目幅２〜３０ｍｍの範囲にある柾目部分の木目模様を持ち、前記単薄板の面粗さは±０．１ｍｍ以内の平滑平板の鮮明な木目を呈するモミ材で、前記材の厚さ０．２ｍｍに調整された平滑的薄平板を、木目方向１０°角度で、前記平板の端部に接着剤を塗布して、底板を敷いて前記容器の形状と同型の型枠に沿って２回に巻いて得られた木製逆円錐台形形状の約８００ｍｌの容器であった。【００４１】前記容器の上部開口部の管径１００ｍｍの木製の木製逆円錐台形形状は、幅８０ｍｍ、長さ４００ｍｍの単平板を木目傾斜方向で巻く、前記単平板の端部である接合面に食品安全性の多糖質系の接着剤を使用した前記平板片面の接合面の端に塗布して、円盤状底板と容器と同型の型枠に捲着した円錐台形状体を得て、前記円錐台形状体の周囲を加熱処理した薄板捲着した逆円錐台形体から前記型枠を引き抜き、薄板の木製逆円錐台形形状容器にして、乾燥後に外部表面にナノシリコン系の塗料で被覆処理を施した。【００４２】前記コップ形木製薄板容器の内表面、及び外表面を被膜する無機質の膜材物質は、シリコンナノシリカーシリケート塗料で選ばれたものであり、シリコン塗料は、ナノシリカとケイ素を核としたシロキサン結合を持つ無機化合物とビヒクルとの塗料であり、塗膜後の重量として約３％の重量増加を示し、前記木製容器の内外表面に木目が浮き出ているようになった。また膜厚としては約１０ミクロン程度の塗布膜になっていた。【００４３】前記型枠は、木製であって、コップ型木製薄板容器の内面と同様なコップ形の逆円錐台形の形状であって、単薄平板を木目傾斜方向で回巻したコップ状容器を型枠から安易に抜き出すことができるように表面をペーパー研磨して平滑にして、型枠の下部に置く底板は、厚さ３ｍｍで、容器の上部開口部の径、又は長さよりも寸法で１０ｍｍ小さくした木製板にした。【００４４】薄平板を回巻して、逆円錐台形形状になった状態で、外表面での一重目薄平板と二重目薄平板とで容器の上部の方向において木目傾斜の勾配角度が高くなっており、外表面の木目模様で１０°から６０°へと高い角度を呈した特有杢目模様を呈した状態にして、薄平板の継ぎ目は、容器の外表面に斜めに接着されて、薄平板の切り目では一重目と二重目との境界の接着面が斜め方向にした。
これによって、木目が鮮明で木材で製作されたコップ型木製円錐台形薄板容器になって、ポテトチップスを入れた。
【実施例５】
【００４５】図５に示すように、０．４ｍｍ厚さの木材スライス単薄板を木目方向に対して１０°の角度でコップ形型枠に２回斜巻して、上部の管径１００ｍｍの木製逆円錐台形の容器になっているコップ型木製薄板容器を製作した。木材スライス単薄板は、木質の特性を持つ木製平板において、比重０．４４であるモミ木材における木目幅１〜３０ｍｍの範囲にある柾目部分の木目模様を持ち、前記単薄板の面粗さは±０．１ｍｍ以内の平滑平板の鮮明な木目を呈するモミ材で、前記材の厚さ０．２ｍｍに調整された平滑的薄平板を、木目方向１０°角度で、前記平板の端部に接着剤を塗布して、底板を敷いて前記容器の形状と同型の型枠に沿って１回に巻いて得られた木製逆円錐台形形状の約３６０ｍｌの容器であった。【００４６】上記木製逆円錐台形形状の容器になった状態の木製薄板容器において、前記コップ形の木製薄板容器の上部、中間部、下部の三カ所に１５ｍｍ幅の曲線帯状薄平板を１周巻いて、前記帯状薄平板を巻いた面の全体に木材スライス単薄板の柾目部を木目方向に対して１０°の角度で２回斜巻して、コップ容器上部の側部厚さを１．６ｍｍにして、側部内部で部分的に中空状態を設けている木製逆円錐台形、又は逆角錐台形の容器になっている中空のあるコップ形木製薄板容器にした。【００４７】前記コップ形木製薄板容器の内表面、及び外表面を被膜する有機質の膜材物質は、漆塗料で選ばれたものであり、漆塗料は、ウルシ科のウルシノキやブラックツリーから採取した樹液を加工した、ウルシオールを主成分とする天然樹脂の塗料であり、重量の増加は約２％のであった。前記木製容器の内外表面に木目が浮き出ているような厚さ約５０ミクロンの塗布膜になっていると観察された。【００４８】このコップの表面を塗料で処理したコップの重量は２８．６５ｇであったが、水を２００ｇ注いで、一時間放置後、コップから水を排出して、重量を測定したところ、０．０２％程度しか重量の増加はなかった。
また７０℃以上の熱水を入れたが、コップの外側面の温度は  ４０℃以下であり、通常の木製コップは同様な実験では、コップの外側面の温度は５０℃以上であった。コップの食品安全性試験を行ったところ、安全性には問題なかった。
【符号の説明】
【００４９】１  コップ型木製薄板容器、
２  スライス単薄板、
３  型枠体
４  帯状薄平板
５  木目
６  表面木目斜傾
７  巻き目
８  接着剤、
９  中空部
１０  逆円錐台形
１２  逆角錐台形
１３  杢目
１４  柾目
１５  切り目
１６  底板
１７  手
１８  側面部
１９  側面縁
２０  塗膜層（ウレタン層、シリコン層、漆層）
２１  薄板多重層
【図１】
2020011041.tif 000003
【図２】
2020011041.tif 000004
【図３】
2020011041.tif 000005
【図４】
2020011041.tif 000006
【図５】
2020011041.tif 000007
【図６】
2020011041.tif 000008
【図７】
2020011041.tif 000009
【図８】
2020011041.tif 000010
【図９】
2020011041.tif 000011